(57)【特許請求の範囲】
【請求項１】
順次に連通する第１のダクト部材、第２のダクト部材及び第３のダクト部材を含み、  前記第１のダクト部材、前記第２のダクト部材及び前記第３のダクト部材がいずれも断面積グラデーション構造であり、
前記第１のダクト部材および前記第３のダクト部材はそれぞれ、前記第２のダクト部材に近接する第１端と該第１端の反対側の第２端とを有し、且つ、断面積が前記第２端から前記第１端まで逓減し、
前記第１のダクト部材及び前記第３のダクト部材の断面積グラデーション方向が逆であり、且つ前記第１のダクト部材と前記第３のダクト部材とは、互いに近づく方向における断面積が逓減することを特徴とする空気調和機の中間ダクト。
【請求項２】
前記第２のダクト部材の断面積グラデーション方向は、前記第１のダクト部材の断面積グラデーション方向と同じであることを特徴とする請求項１に記載の空気調和機の中間ダクト。
【請求項３】
前記第２のダクト部材の第１端には、位置決めポストと位置決め穴の一つが設けられ、
前記第１のダクト部材の第１端には、位置決めポストと位置決め穴のもう一つが設けられ、前記位置決めポストが前記位置決め穴に挿入することに適することを特徴とする請求項２に記載の空気調和機の中間ダクト。
【請求項４】
前記第２のダクト部材の第１端には取り付けポストがさらに設けられ、前記第１のダクト部材の第１端には固定スリーブが設けられ、前記取り付けポストの一部は、前記固定スリーブまで延在しており、且つ留め具に固定することに適することを特徴とする請求項３に記載の空気調和機の中間ダクト。
【請求項５】
前記第２のダクト部材の第２端には第２の取付板が設けられ、前記第３のダクト部材の第１端には第３の取付板が設けられ、前記第２の取付板が前記第３の取付板に固定されることを特徴とする請求項１に記載の空気調和機の中間ダクト。
【請求項６】
前記第２の取付板は複数であり、それぞれ前記第２のダクト部材の第２端の周方向に内向きに突出し、前記第３の取付板は複数であり、それぞれ前記第３のダクト部材の第１端の周方向に内向きに突出することを特徴とする請求項５に記載の空気調和機の中間ダクト。
【請求項７】
前記第２の取付板及び前記第３の取付板には、それぞれ、留め具が順次に通過するための取付穴が設けられることを特徴とする請求項５に記載の空気調和機の中間ダクト。
【請求項８】
少なくとも一つの前記第２の取付板には位置決め穴が設けられ、少なくとも一つの前記第３の取付板には位置決めポストが設けられ、前記位置決めポストは前記位置決め穴に挿入することに適することを特徴とする請求項７に記載の空気調和機の中間ダクト。
【請求項９】
前記第１のダクト部材、前記第２のダクト部材及び前記第３のダクト部材はいずれもアルミニウム鋳造品であることを特徴とする請求項１に記載の空気調和機の中間ダクト。
【請求項１０】
請求項１乃至９のいずれか一項に記載の空気調和機の中間ダクトを含むことを特徴とする空気調和機。
【発明の詳細な説明】
【技術分野】
【０００１】
本発明は、空気調和機の技術分野に関し、特に、空気調和機における中間ダクト及び当該中間ダクトを有する空気調和機に関する。
【背景技術】
【０００２】
関連する技術において、いくつの縦型空気調和機会浄化機能を統合し、例えば、縦型空気調和機は上部空気供給部、中間ダクト支持部材及び下部吸気部に分けられ、下部吸気部が浄化機能を有し、中間ダクト支持部材における中間ダクトが上部空気供給部及び下部吸気部に連通したが、中間ダクトの構造が複雑であり、製造しにくく、且つガスの流動性が悪い。
【発明の概要】
【発明が解決しようとする課題】
【０００３】
本発明は従来技術における技術的問題の少なくとも一つを解決することを目的とする。そのため、本発明は、構造が簡単であり、ガスの流動性が良い空気調和機の中間ダクトを提供する。
【０００４】
本発明は、さらに空気調和機を提供する。
【課題を解決するための手段】
【０００５】
本発明で提供する空気調和機の中間ダクトによれば、順次に連通する第１のダクト部材、第２のダクト部材及び第３のダクト部材を含み、前記第１のダクト部材、前記第２のダクト部材及び前記第３のダクト部材がいずれも断面積グラデーション構造であり、前記第１のダクト部材及び前記第３のダクト部材の断面積グラデーション方向が逆であり、且つ前記第１のダクト部材と前記第３のダクト部材とは、互いに近づく方向における断面積が逓減する。
【０００６】
本発明で提供する空気調和機の中間ダクトによれば、ガスの流れ方向に、第１のダクト部材、第２のダクト部材及び第３のダクト部材が順次に連通し、順次別体の方式を採用してダクト部材を簡単に成形でき、また、このような別体成形後の再組立の方式は中間ダクトの製造難度を低下させることができる。また、ガスの流す時に、ガスの中間ダクト内の流通面積は入口面積の減少し且つ出口面積の増加する現象を発生する。このようにしてガスが中間ダクトへの流動性を向上させるのに寄与することができ、ガスが中間ダクトに入ることに寄与することができ、及びガスが中間ダクトから流出することに寄与することができるで、中間ダクトにおけるガスの流動性能を向上させることができる。
【０００７】
本発明のいくつかの例において、前記第２のダクト部材の断面積グラデーション方向は、前記第１のダクト部材の断面積グラデーション方向と同じである。
【０００８】
本発明のいくつかの例において、前記第２のダクト部材の第１端には、位置決めポストと位置決め穴の一つが設けられ、前記第１のダクト部材の第１端には、位置決めポストと位置決め穴のもう一つが設けられ、前記位置決めポストが前記位置決め穴に挿入することに適する。
【０００９】
本発明のいくつかの例において、前記第２のダクト部材の第１端には取り付けポストがさらに設けられ、前記第１のダクト部材の第１端には固定スリーブが設けられ、前記取り付けポストの一部は、前記固定スリーブまで延在しており、且つ留め具に固定することに適する。
【００１０】
本発明のいくつかの例において、前記第２のダクト部材の第２端には第２の取付板が設けられ、前記第３のダクト部材の第１端には第３の取付板が設けられ、前記第２の取付板が前記第３の取付板固定に固定される。
【００１１】
本発明のいくつかの例において、前記第２の取付板は複数であり、それぞれ前記第２のダクト部材の第２端の周方向に内向きに突出し、前記第３の取付板は複数であり、それぞれ前記第３のダクト部材第１端の周方向に内向きに突出する。
【００１２】
本発明のいくつかの例において、前記第２の取付板及び前記第３の取付板には、それぞれ、留め具が順次に通過するための取付穴が設けられる。
【００１３】
本発明のいくつかの例において、少なくとも一つの前記第２の取付板には位置決め穴が設けられ、少なくとも一つの前記第３の取付板には位置決めポストが設けられ、前記位置決めポストは前記位置決め穴に挿入することに適する。
【００１４】
本発明のいくつかの例において、前記第１のダクト部材、前記第２のダクト部材及び前記第３のダクト部材はいずれもアルミニウム鋳造品である。
【００１５】
本発明で提供する空気調和機によれば、前記の空気調和機の中間ダクトを含む。
【００１６】
本発明の追加の態様及びメリットは、以下の説明で部分的に説明される。一部は以下の説明から明らかになるか、または本発明の実施により理解される。
【００１７】
本発明の上記及び／又は他の態様やメリットは以下の図面を結合した実施例の説明から明確になり、容易に理解することができる。
【図面の簡単な説明】
【００１８】
【図１】本発明の実施例に係る空気調和機の中間ダクトの分解構造模式図である。
【図２】本発明の実施例に係る空気調和機の中間ダクトの異なる角度による斜視図である。
【図３】本発明の実施例に係る空気調和機の中間ダクトの異なる角度による斜視図である。
【図４】本発明の実施例に係る空気調和機の中間ダクトの断面図である。
【発明を実施するための形態】
【００１９】
本発明の実施例を以下に詳細に説明し、前記実施形態の例が図面に示されるが、同一または類似の参照番号は、同一または類似の要素または同一または類似の機能を有する要素を指す。添付の図面を参照して以下に説明する実施例は、本発明を例示することを意図し、限定するものとして解釈されるべきではない。
【００２０】
本発明の説明において、「中央」、「縦方向」、「横方向」、「長さ」、「幅」、「厚さ」、「上」、「下」、「前」、「後」、「左」、「右」、「垂直」、「水平」、「トップ」、「ボトム」、「内側」、「外側」、「時計回り」、「反時計回り」、「軸方向」、「半径方向」、「周方向」などの用語で示す方位又は位置関係は図面に示す方位又は位置関係であり、本発明を説明し易い、又は説明を簡単にするだけに用いられ、示している装置または部品は必ず特定の方向を有し、特定の方位構造と操作を有することを表す又は暗示することではないことを理解されるべきであり、そのため本発明を限定するものと解釈されるべきではない。なお、「第１」、「第２」を限定した特徴は１つ以上の特徴が明示的または暗示的に含まれる。本発明の説明において、特に明記しない限り、「複数」の意味は２つ又は２つ以上である。
【００２１】
限定又は説明がない限り、「取付」、「接続」、「連結」などの用語の意味は広く理解されるべきであり、例えば、固定接続であってもよく、取り卸し可能な接続であってもよく、又は一体的に接続であってもよく、機械的に接続であってもよく、電気的に接続であってもよく、直接的に接続することや、中間媒体を介して間接的に接続であってもよく、２つの部品の内部連通することも可能である。当業者にとって、本発明における上記用語の特定の意味は、特定の場合に理解され得る。
【００２２】
以下、本発明の実施例に係る空気調和機の中間ダクト１０について、図面を参照しながら詳細に説明する。
【００２３】
図１乃至図４に示すように、本発明の実施例に係る空気調和機の中間ダクト１０は、順次に連通する第１のダクト部材１、第２のダクト部材２及び第３のダクト部材３を含みでもよい、言い換えれば、ガスの流れ方向に、第１のダクト部材１、第２のダクト部材２及び第３のダクト部材３が順次に連通し、順次別体の方式を採用してダクト部材を簡単に成形でき、また、このような別体成形後の再組立の方式は中間ダクト１０の製造の難しさを低減することができる。
【００２４】
第１のダクト部材１、第２のダクト部材２及び第３のダクト部材３がいずれも断面積グラデーション構造であり、第１のダクト部材１及び第３のダクト部材３の断面積グラデーション方向が逆であり、また、第１のダクト部材１と第３のダクト部材３とは、互いに近づく方向における断面積が逓減する。すなわち、ガスの流す時に、ガスの中間ダクト１０における流通面積は、入口面積が減少し且つ出口面積が増加する現象が発生する。このようにしてガスが中間ダクト１０への流動性を向上させるのに寄与することができ、ガスが中間ダクト１０に入ることに寄与することができ、及びガスが中間ダクト１０から流出することに寄与することができ、従って中間ダクト１０におけるガスの流動性能を向上させることができる。
【００２５】
さらに、図１乃至図４に示すように、第２のダクト部材２の断面積グラデーション方向は、第１のダクト部材１の断面積グラデーション方向と同じである。言い換えれば、中間ダクト１０内には、二つの断面積グラデーションの形態がしかない、一つは第１のダクト部材１と第２のダクト部材２の組み合わせのグラデーション形態であり、もう一つは第３のダクト部材３のグラデーション形態であり、このように設置された中間ダクト１０はガスのこの中間ダクト１０内への流動性をさらに向上し、また第２のダクト部材２の成型も寄与することができる。
【００２６】
本発明の好適な実施例によれば、図１及び図２に示すように、第２のダクト部材２の第１端に位置決めポスト２１と位置決め穴１１の一つが設けられ、第１のダクト部材１の第１端に位置決めポスト２１と位置決め穴１１のもう一つが設けられ、位置決めポスト２１は位置決め穴１１に挿入することに適する。言い換えれば、この第２のダクト部材２の第１端に位置決めポスト２１を設置すると、第１のダクト部材１の第１端に位置決め穴１１を設置し、第２のダクト部材２の第１端に位置決め穴１１を設置すると、第１のダクト部材１の第１端に位置決めポスト２１を設置する。位置決めポスト２１と位置決め穴１１とは予備位置決めの役割を果たすことができ、従って第１のダクト部材１及び第２のダクト部材２の取付の難しさを低減することができる。ただし、位置決めポスト２１は複数であり、複数の位置決めポスト２１は第２のダクト部材２の第１端の周方向に間隔を空けて配置され、位置決め穴１１は複数であり、複数の位置決め穴１１が第１のダクト部材１の第１端の周方向に間隔を空けて配置され、複数の位置決めポスト２１と複数の位置決め穴１１は１対１に対応する。第１のダクト部材１の第１端と第２のダクト部材２の第１端は互いに近接している。
【００２７】
さらに、図１及び図２に示すように、第２のダクト部材２の第１端には取り付けポスト２２がさらに設けられ、第１のダクト部材１の第１端には固定スリーブ１２が設けられ、取り付けポスト２２の一部が固定スリーブ１２までに延在しており、取り付けポスト２２は留め具に固定することに適する。このように、取り付けポスト２２が留め具に固定される時に、固定スリーブ１２も同様に固定され、従って第１のダクト部材１及び第２のダクト部材２を確実に固定することができる。そのうち、固定スリーブ１２は複数であり、複数の固定スリーブ１２は第１のダクト部材１の第１端の周方向に間隔を空けて配置され、取り付けポスト２２は複数であり、複数の取り付けポスト２２は第２のダクト部材２の第１端の周方向に間隔を空けて配置され、複数の固定スリーブ１２と複数の取り付けポスト２２は１対１に対応して嵌合する。
【００２８】
本発明の具体的な実施例によれば、図１及び図３に示すように、第２のダクト部材２の第２端には第２の取付板２３が設けられ、第３のダクト部材３の第１端には第３の取付板３１が設けられ、第２の取付板２３が第３の取付板３１に固定される。第２の取付板２３の第３の取付板３１への固定により第２のダクト部材２と第３のダクト部材３を確実且つ簡単に固定することができる。
【００２９】
図１及び図３に示すように、第２の取付板２３及び第３の取付板３１はいずれも複数である。具体的に、複数の第２の取付板２３がそれぞれ第２のダクト部材２第２端の周方向に内向きに突出し、複数の第３の取付板３１がそれぞれ第３のダクト部材３の第１端の周方向に内向きに突出する。これによって、周方向に第２のダクト部材２及び第３のダクト部材３を確実に固定することができる。
【００３０】
具体的に、図３に示すように、第２の取付板２３及び第３の取付板３１には、それぞれ、留め具が順次に通過するための取付穴３２が設けられる。すなわち、対応するセットの第２の取付板２３及び第３の取付板３１に、留め具が対応する二つの取付板における取付穴３２を貫通することができ、その後、両者を固定し、従って第２のダクト部材２及び第３のダクト部材３をより確実に固定することができる。
【００３１】
なお、図１及び図３に示すように、少なくとも一つの第２の取付板２３には位置決め穴１１が設けられ、少なくとも一つの第３の取付板３１には位置決めポスト２１が設けられ、位置決めポスト２１が位置決め穴１１に挿入することに適する。すなわち、取付穴３２を設置した上に、第２の取付板２３及び第３の取付板３１は位置決め穴１１と位置決めポスト２１の嵌合方式も採用することができるので、予備位置決めの役割を果たすことができ、第２の取付板２３及び第３の取付板３１を簡単且つ確実に取り付けることができる。
【００３２】
第１のダクト部材１、第２のダクト部材２及び第３のダクト部材３がいずれもアルミニウム鋳造品であってもよい。アルミニウム鋳造品は構造が簡単であり、軽量であり、一方で構造が信頼性があり、耐用年数が長い。
【００３３】
本発明の実施例に係る空気調和機は、前記実施例の空気調和機の中間ダクト１０を含む。
【００３４】
本明細書の説明において、参照用語である「一つの実施例」、「いくつかの実施例」、「概念的な実施例」、「例示」、「具体的な例示」、または、「いくつかの例示」などの記述は、該実施例又は例示に説明された具体的な特徴、構造、材料又は特徴が本発明の少なくとも一実施例又は例示に含まれていることを示している。本明細書において、上記用語の説明は、必ず同一の実施例又は例示を示しているではない。また、説明した具体的な特徴、構造、材又は特徴は、任意の一つ又は複数の実施例又は例示において適当の方式で結合できる。
【００３５】
本発明の実施例を示して説明したが、当業者は以下を理解するであろう。本発明の原理及び宗旨から逸脱しないことを前提として、実施例に対して様々な変更、修正、置換、及び変形を行うことができる。本発明の範囲は、特許請求の範囲及びその均等物によって限定される。
【符号の説明】
【００３６】
１  第１のダクト部材
１０  中間ダクト
１１  位置決め穴
１２  固定スリーブ
２  第２のダクト部材
２１  位置決めポスト
２２  取り付けポスト
２３  第２の取付板
３  第３のダクト部材
３１  第３の取付板
３２  取付穴
【図１】
0006899918.tif 000002
【図２】
0006899918.tif 000003
【図３】
0006899918.tif 000004
【図４】
0006899918.tif 000005